(57)【要約】【課題】ブレーキ作用時にブレーキ手段に無理な応力が作用しないブレーキ機構を提供する。【解決手段】有底の胴部の上端開口縁に肩体６を備えた機器本体３と、一端が機器本体３の肩体６にヒンジ軸１４を介して回転可能に取り付けられると共に開放方向に弾性的に付勢された蓋体４とを備える家庭用電気製品であって、機器本体３の肩体６に形成された固定摺接部９と、蓋体４のヒンジ軸１４付近に配置され、蓋体４の開放時に固定摺接部９と、ヒンジ軸１４と直交する面で摺接する少なくとも１つのブレーキ部とからなるブレーキ手段と、を備えた家庭用電気製品において、ブレーキ手段は、固定摺接部９と摺接する際に、固定摺接部９の縁部３３と略一致する摺接ラインを有する。【選択図】図３
2008284179.tif 000002
【特許請求の範囲】
【請求項１】
有底の胴部の上端開口縁に肩体を備えた機器本体と、一端が前記機器本体の前記肩体にヒンジ軸を介して回転可能に取り付けられると共に開放方向に弾性的に付勢された蓋体とを備える家庭用電気製品であって、
前記機器本体の肩体に形成された固定摺接部と、
前記蓋体のヒンジ軸付近に配置され、前記蓋体の開放時に前記固定摺接部と、前記ヒンジ軸と直交する面で摺接する少なくとも１つのブレーキ部とからなるブレーキ手段と、
を備えた家庭用電気製品において、
前記ブレーキ手段は、前記固定摺接部と摺接する際に、前記固定摺接部の縁部と略一致する摺接ラインを有することを特徴とする家庭用電気製品。
【請求項２】
前記ブレーキ手段は、前記蓋体の開放初期に前記機器本体の前記固定摺接部と摺接する第１ブレーキ部と、該第１ブレーキ部と隔てて配設され前記蓋体の開放後期に前記機器本体の前記固定摺接部と摺接する第２ブレーキ部とからなり、
前記第１及び第２ブレーキ部は、それぞれ前記摺接ラインを有することを特徴とする請求項１に記載の家庭用電気製品。
【請求項３】
前記ブレーキ手段は、前記第１ブレーキ部と前記第２ブレーキ部の間に、前記蓋体の開放中期に前記第１ブレーキ部よりも弱いブレーキ力で前記機器本体の前記固定摺接部と摺接する又は前記固定摺接部と摺接せずにブレーキ力を解除する緩和部を更に有することを特徴とする請求項２に記載の家庭用電気製品。
【請求項４】
前記ブレーキ手段は、前記蓋体のヒンジ軸付近に取り付けられた取り付け片と、該取り付け片から延びて前記蓋体の開放時に前記固定摺接部と、前記ヒンジ軸と直交する面で摺接する弾性片とからなり、
前記弾性片は、前記取り付け片に隣接する前記第１ブレーキ部と、該第１ブレーキ部に隣接する前記緩和部と、該緩和部に隣接し、前記緩和部より強いブレーキ力を作用する前記第２ブレーキ部とを備え、
前記摺接ラインは、前記第１ブレーキ部と前記固定摺接部の縁部と最初に摺接する第１摺接ラインと、前記第２ブレーキ部と前記固定摺接部の縁部と最初に摺接する第２摺接ラインであることを特徴とする請求項２又は３に記載の家庭用電気製品。
【請求項５】
前記蓋体の開放終了時に、前記固定摺接部と前記ブレーキ手段とは平行に係合することを特徴とする請求項１から４のいずれかに記載の家庭用電気製品。
【発明の詳細な説明】
【技術分野】
【０００１】
本発明は金属ブレーキ機構及びこの金属ブレーキ機構を備えた炊飯器、電気ポットなどの家庭用電気製品に関する。
【背景技術】
【０００２】
一般に家庭用電気製品において、蓋体はばねに付勢されて開放し開放時の衝撃が大きいため、蓋体のブレーキ手段と機器本体の固定摺接部との摺接により蓋体にブレーキをかける。
【０００３】
特許文献１には、ブレーキ部が固定摺接部に当接して摺接を開始し、その摺接に伴う摩擦により蓋体にブレーキ力が作用するが、摺接を開始する際にはブレーキ部が固定摺接部に対して斜め当たりをするブレーキ機構が提案されている。
【０００４】
特許文献２には、ブレーキばねが炊飯器本体の軸受け片に当たり始め、これによりブレーキばねが蓋体の開放動作に対して制動力を与えるようになり、蓋体の開く力が抑えられるが、この時ブレーキばねが軸受け片に対して斜め当たりをするブレーキ機構が提案されている。
【０００５】
しかし、いずれの特許文献に記載のブレーキ機構でも、ブレーキ部は接触する際に接触面に対して斜め当たりをするのでブレーキ部に無理な応力がかかり、ブレーキ部の外れや割れの原因となる。
【０００６】
【特許文献１】特開２００４−１６５７９号公報
【特許文献２】特開平１１−５６６１３号公報
【発明の開示】
【発明が解決しようとする課題】
【０００７】
本発明は前記従来の問題点に鑑みてなされたもので、ブレーキ作用時にブレーキ部に無理な応力が作用しないブレーキ機構を提供することを課題とする。
【課題を解決するための手段】
【０００８】
前記課題を解決するための手段として、本発明に係るブレーキ機構は、有底の胴部の上端開口縁に肩体を備えた機器本体と、一端が前記機器本体の前記肩体にヒンジ軸を介して回転可能に取り付けられると共に開放方向に弾性的に付勢された蓋体とを備える家庭用電気製品であって、前記機器本体の肩体に形成された固定摺接部と、前記蓋体のヒンジ軸付近に配置され、前記蓋体の開放時に前記固定摺接部と、前記ヒンジ軸と直交する面で摺接する少なくとも１つのブレーキ部とからなるブレーキ手段と、を備えた家庭用電気製品において、前記ブレーキ手段は、前記固定摺接部と摺接する際に、前記固定摺接部の縁部と略一致する摺接ラインを有するものである。
【０００９】
ブレーキ手段の摺接ラインが、固定摺接部と摺接する際に固定摺接部の縁部と略一致することによって、ブレーキ作用時にブレーキ手段に無理な応力がかからない。
【００１０】
具体的な１つの手段としては、前記ブレーキ手段は、前記蓋体の開放初期に前記機器本体の前記固定摺接部と摺接する第１ブレーキ部と、該第１ブレーキ部と隔てて配設され前記蓋体の開放後期に前記機器本体の前記固定摺接部と摺接する第２ブレーキ部とからなり、前記第１及び第２ブレーキ部は、それぞれ前記摺接ラインを有することが好ましい。
【００１１】
第１及び第２ブレーキ部がそれぞれ摺接ラインを有することで、第１及び第２ブレーキ部が固定摺接部と摺接する際に、無理な応力がかからない。
【００１２】
又、他の手段として、前記ブレーキ手段は、前記第１ブレーキ部と前記第２ブレーキ部の間に、前記蓋体の開放中期に前記第１ブレーキ部よりも弱いブレーキ力で前記機器本体の前記固定摺接部と摺接する又は前記固定摺接部と摺接せずにブレーキ力を解除する緩和部を更に有することが好ましい。
【００１３】
ブレーキ手段が緩和部を有することで、蓋体が開放途中で停止することを防止できる。
【００１４】
又、前記ブレーキ手段は、前記蓋体のヒンジ軸付近に取り付けられた取り付け片と、該取り付け片から延びて前記蓋体の開放時に前記固定摺接部と、前記ヒンジ軸と直交する面で摺接する弾性片とからなり、前記弾性片は、前記取り付け片に隣接する前記第１ブレーキ部と、該第１ブレーキ部に隣接する前記緩和部と、該緩和部に隣接し、前記緩和部より強いブレーキ力を作用する前記第２ブレーキ部とを備え、前記摺接ラインは前記第１ブレーキ部と前記固定摺接部の縁部と最初に摺接する第１摺接ラインと、前記第２ブレーキ部と前記固定摺接部の縁部と最初に摺接する第２摺接ラインであることが好ましい。
【００１５】
ブレーキ手段を１部品で構成するため、部品点数の削減や構造が簡単化し製造コストを削減できる。
【００１６】
更に、前記蓋体の開放終了時に、前記固定摺接部と前記ブレーキ手段とは平行に係合することが好ましい。
【００１７】
固定摺接部とブレーキ手段とが平行に係合することで、蓋体全開時にブレーキ手段には均等に力が作用し、ブレーキ手段の劣化を防止することができる。
【発明の効果】
【００１８】
本発明によれば、ブレーキ手段の有する摺接ラインが、固定摺接部と摺接する際に固定摺接部の縁部に対して平行であるため、摺接開始時にブレーキ手段に無理な応力が作用せず、ブレーキ手段の外れや割れを防止することができる。
【発明を実施するための最良の形態】
【００１９】
図１に本発明に係るブレーキ金具１を備えた家庭用電気製品である炊飯器２を示す。
炊飯器２は炊飯鍋（図示せず）を着脱可能に収容する機器本体３と、該機器本体３の上端開口を開閉する蓋体４とを備える。
【００２０】
機器本体３は、有底の胴形状をなす胴体５と、胴体５の上端開口縁に肩体６とを備える。肩体６の前部には液晶表示装置や各種操作スイッチを含む操作パネル７が配設されている。肩体６の後部にはヒンジ受け部８が形成されている。機器本体３後部のヒンジ受け部８には、蓋体４が機器本体３に対して開放する際にブレーキをかけるための、樹脂製である固定摺接部９が設けられている。固定摺接部９はヒンジ受け部８の両側で上方へ向かって延びている。
【００２１】
蓋体４は、樹脂製である下板１０と、該下板１０の上面側に配設された金属性である補強板１１と、該補強板１１の上面側に配設された樹脂製である上側蓋部材１２とを備える。上側蓋部材１２は殻体状であり蓋体４全体を覆うように形成されている。
【００２２】
蓋体４は、補強板１１の後端側にヒンジ穴１３が形成され、該ヒンジ穴１３に挿通したヒンジ軸１４周りに開閉自在に取り付けられている。ヒンジ軸１４は、該ヒンジ軸１４を支持するために機器本体３側に設けられた一対の軸受け１５に嵌合支持される。ヒンジ軸１４には、左右一対のヒンジばね１６が挿通されている。これにより、蓋体４は、ヒンジばね１６によって図１において矢印Ａで示す開放方向に弾性的に付勢されている。
【００２３】
蓋体４の後端側には、機器本体３に対して蓋体４が開放する際に、機器本体３の固定摺接部９との間の摺接による摩擦で蓋体４にブレーキをかけるブレーキ金具１が設けられている。ブレーキ金具１は補強板１１の後端に蓋体４と共にヒンジ軸１４周りに回転するように取り付けられている。ブレーキ金具１は金属性であり、補強板１１に取り付ける取り付け片１７と蓋体４の開放時に機器本体３の固定摺接部９と摺接する弾性片１８とからなり、弾性片１８は、前記取り付け片１７に隣接し、蓋体４の開放初期に固定摺接部９との間でブレーキをかける第１ブレーキ部１９と、該第１ブレーキ部１９に隣接し、蓋体４の開放中期に固定摺接部９との間でブレーキを緩める又はブレーキ力を作用しない緩和部２０と、該緩和部２０に隣接し、蓋体４の開放後期に固定摺接部９との間でブレーキをかける第２ブレーキ部２１と、を備える。
【００２４】
図２に本発明の第１実施形態であるブレーキ金具１を示す。
取り付け片１７ａは補強板１１の上面にネジ（図示せず）を介して、弾性片１８ａが固定摺接部９のヒンジ軸１４と直交する面と摺接するように取り付けられている。又、取り付け片１７ａの蓋体４の内側には補強板１１に取り付けるための取り付け穴２２と、蓋体４の外側にはブレーキ金具１ａの位置決めをするための位置決め穴２３と、の２つの穴が設けられている。
弾性片１８ａの第２摺接面２４は、取り付け片１７ａから垂直に下方へ向かって延びている。又、第２摺接面２４の後側には、固定摺接部９と第２摺接面２４とが摺接を開始するまで弾性片１８ａを固定摺接部９に導くための第１摺接面２５と、該第１摺接面２５から機器本体３の外側へ向かって延びるように摺接ガイド部２６ａが形成されている。第１摺接面２５と摺接ガイド部２６ａは第１摺接ライン２７ａで区切られている。第２摺接面２４の下側には、緩和部２０と接続する第３摺接面２８が形成されており、第１ブレーキ部１９ａは第１摺接面２５と第２摺接面２４と第３摺接面２８とから構成されている。
弾性片１８ａの緩和部２０は、第３摺接面２８に対して蓋体４の外側へくぼんでいる。
弾性片１８ａの第５摺接面２９は、緩和部２０から第４摺接面３０を介して機器本体３の内側へ向かって下方へ延びている。緩和部２０と第４摺接面３０とは第２摺接ライン３１により区切られている。第４摺接面３０は、緩和部２０と第５摺接面２９との間に配設され、前方から後方へかけて下方へ傾いている。第２ブレーキ部２１は第４摺接面３０と第５摺接面２９とからなる。第５摺接面２９の下端には、補強板１１との間でブレーキ金具１ａを支持するため補強板１１に向かって水平に延びる固定部３２ａが形成されている。固定部３２ａは、補強板１１に当接している。これにより、弾性片１８ａは一端が取り付け片１７ａに固定され、他端が補強板１１に支持された状態となっている。もちろん、固定部３２ａは、補強板１１から離した構成をとることも構わない。
【００２５】
次に、本発明の第１実施形態に係るブレーキ金具１の動作を説明する。
図３から図８を参照すると、蓋体４の閉蓋時にはブレーキ金具１ａは固定摺接部９の前方に位置している（図３）。蓋体４がヒンジスプリング１６の付勢力によりヒンジ軸１４周りに開放を始めると共に、ブレーキ金具１ａもヒンジ軸１４周りに回転し、第１摺接ライン２７ａと固定摺接部９の縁部３３とが略一致し、第１摺接面２５が固定摺接部９の側面と摺接を始める。これによりブレーキ金具１ａには無理な応力が作用しない。続いて第２摺接面２４が固定摺接部９に摺接し、この後、第３摺接面２８が固定摺接部９と摺接することで、第１ブレーキが作用する（図４）。更に蓋体４が開放すると第１ブレーキ部１９ａに続いて緩和部２０が、固定摺接部９の側面と摺接する又は摺接を解除する（図５）。緩和部２０ではブレーキ力を弱める又はブレーキ力を解除することで、ブレーキ力の作用により蓋体４が開放途中で止まるのを防止する。蓋体４が開放を続けると緩和部２０に続いて、第２摺接ライン３１と固定摺接部９の縁部３３とが略一致し、第２ブレーキ部２１の第４摺接面３０が固定摺接部９の側面と摺接を始める。これによりブレーキ金具１ａに無理な応力が作用しない。続いて第５摺接面２９が固定摺接部９と摺接し、第２ブレーキが作用する（図６）。蓋体４が開放すると、第２ブレーキ部２１の第５摺接面２９が固定摺接部９の側面との間で平行に係合した状態で保持される（図７）。第５摺接面２９が固定摺接部９の側面と平行に係合することで、蓋体４の開放終了後に第２ブレーキ部２１は固定摺接部９の側面から均等に力を受け、無理な応力がかかることによるブレーキ金具１ａの破損を防止できる（図８）。
【００２６】
図９から図１１に本発明の第２実施形態であるブレーキ金具１ｂを示すが、図２の第１実施形態と同一の要素には同一の符号を付して説明を省略する。
弾性片１８ｂの摺接ガイド部２６ｂは、取り付け片１７ｂから下方へ向かって延びている。
弾性片１８ｂの第１ブレーキ部１９ｂは第１摺接ライン２７ｂにより摺接ガイド部２６ｂと区切られ、摺接ガイド部２６ｂから機器本体３の前方へ向かって水平方向に延びている。第１ブレーキ部１９ｂの前端には、補強板１１との間でブレーキ金具１ｂを固定するため補強板１１に向かって延びる固定部３２ｂが形成されている。
【００２７】
次に、本発明の第２実施形態に係るブレーキ金具１の動作を説明する。
閉蓋時には、ブレーキ金具１ｂは固定摺接部９の前方に配置している（図９）。蓋体４がヒンジ軸１４周りに開放を始めると共にブレーキ金具１ｂもヒンジ軸１４周りに回転し、摺接ガイド部２６ｂが固定摺接部９と摺接せずに回転する。更に蓋体４が開放すると第１摺接ライン２７ｂと固定摺接部９の縁部３３とが略一致し、第１ブレーキ部１９ｂが固定摺接部９の側面と摺接を始める（図１０）。第１ブレーキ部１９ｂで作用するトルクにより蓋体４の開放は停止する。蓋体４が開放すると、第１ブレーキ部１９ｂが固定摺接部９の側面と係合した状態に保持される（図１１）。
【００２８】
なお、本発明のブレーキ部は、前記実施形態の構成に限定されるものではなく、種々の変更が可能である。
【００２９】
例えば、第１ブレーキ部及び第２ブレーキ部はそれぞれを別の部品で構成することもできる。又、ブレーキ部は金属だけではなく他の材料、例えば樹脂から構成されてもよい。更には、ブレーキ部は別部品ではなく、下板１０の形状を加工することにより形成されてもよい。摺接ラインは本実施例のように、明確に現れる稜線である必要はなく、例えば摺接ライン部を大きな半径で構成することにより、固定摺接部９との摺接の際、固定摺接部９の縁部３３と略一致する摺接ラインを有するようにしてもよい。更にまた、摺接ラインは面として構成することも可能である。
【図面の簡単な説明】
【００３０】
【図１】本発明に係る第１実施形態の一部切欠き分解斜視図。
【図２】本発明の第１実施形態に係るブレーキ金具の全体斜視図。
【図３】閉蓋時の第１実施形態に係るブレーキ機構の断面図。
【図４】第１ブレーキ作用時の第１実施形態に係るブレーキ機構の断面図。
【図５】ブレーキ緩和時の第１実施形態に係るブレーキ機構の断面図。
【図６】第２ブレーキ作用時の第１実施形態に係るブレーキ機構の断面図。
【図７】開蓋時の第１実施形態に係るブレーキ機構の断面図。
【図８】開蓋時の第１実施形態に係るブレーキ機構の上面断面図。
【図９】閉蓋時の第２実施形態に係るブレーキ機構の断面図
【図１０】第１ブレーキ作用時の第２実施形態に係るブレーキ機構の断面図
【図１１】開蓋時の第２実施形態に係るブレーキ機構の断面図。
【符号の説明】
【００３１】
１  ブレーキ金具
３  機器本体
４  蓋体
６  肩体
９  固定摺接部
１４  ヒンジ軸
１７，１７ａ，１７ｂ  取り付け片
１８，１８ａ，１８ｂ  弾性片
１９，１９ａ，１９ｂ  第１ブレーキ部
２０  緩和部
２１  第２ブレーキ部
２７，２７ａ，２７ｂ  第１摺接ライン
３１  第２摺接ライン
【図１】
2008284179.tif 000003
【図２】
2008284179.tif 000004
【図３】
2008284179.tif 000005
【図４】
2008284179.tif 000006
【図５】
2008284179.tif 000007
【図６】
2008284179.tif 000008
【図７】
2008284179.tif 000009
【図８】
2008284179.tif 000010
【図９】
2008284179.tif 000011
【図１０】
2008284179.tif 000012
【図１１】
2008284179.tif 000013